(57)【特許請求の範囲】
【請求項１】
電池の外装部に、粘着性を有すると共に引き剥がし可能で且つ再貼着可能な絶縁性テープを保持し、電池が使用済みとなった際に、上記絶縁性テープを上記電池外装部から引き剥がし、電池の電極部に再貼着して外部との電気的接続を防止できるようにした、使用済み電池の事故防止用絶縁テープを備えた電池。
【請求項２】
上記絶縁性テープは、樹脂製フィルムより形成した、請求項１に記載の使用済み電池の事故防止用絶縁テープを備えた電池。
【請求項３】
上記絶縁性テープは、上記樹脂製フィルムに、電池の型式が識別できる識別記号を設けるかもしくは識別性材料の層を設けてなる請求項２に記載の使用済み電池の事故防止用絶縁テープを備えた電池。
【請求項４】
上記識別性材料の層は、磁性材料、電界電子放射材料、誘電体から選択してなる、請求項３に記載の使用済み電池の事故防止用絶縁テープを設けた電池。
【請求項５】
上記絶縁性テープの片側には、引き剥がし可能であり且つ再粘着可能な接着剤が所望の位置に付与されている請求項１に記載の使用済み電池の事故防止用絶縁テープを備えた電池。
【発明の詳細な説明】
【０００１】
【発明の属する技術分野】
本発明は、特に限定するものではないが、筒型あるいは角形のアルカリ電池、アルカリマンガン電池などの乾電池の筒体部分に貼着しておいて、電池が廃電池となったときに引き離して電池の極部側に貼り付け、他の廃電池などとの接触でショートや意図せざる充電などによる事故を防止できるようにした絶縁テープを備えた電池に関するものである。
【０００２】
【従来の技術】
従来より、電池の未使用状態を示す目的で電池の極部に「バージンシール」と称されるテープを貼着していた。このバージンテープは、使用されるときに引き剥がされてゴミとして廃棄処分されていた。
【０００３】
上記とは別に、電池の外装容器外周に、電池の種別などによって異なるパターンなどの識別性を備えた識別体を付したものが知られている（例えば、特開平１０−２２８８８９号公報参照）。
【０００４】
【発明が解決しようとする課題】
ところで、使用済み電池は、それが廃電池として廃棄される場合、指定の電池箱にランダムに、しかも異種電池が混合した状態で放置されている。しかし、使用済みと言えども、電池の残存量次第では他の電池を充電したり、急激な放電を起こさせる結果となり、或いはショートしたりして非常に危険な状態のまま放置されていた。また、使用済み電池の分別が成されないまま廃棄されているので、回収作業が煩雑且つ困難を極めているのが現状である。
【０００５】
本発明は、使用済み電池を廃棄する際、電池の電極部を絶縁テープで覆うことにより、本来意図しない充電やショートなどによる事故を未然に防止でき、廃棄時の安全性を向上できるようにした、絶縁テープを備えた電池を提供することを主たる目的とするものである。
【０００６】
本発明の別の目的は、上記絶縁テープに識別製材料を付与することで、検知装置との組合せ使用により、廃棄電池の形態を識別できるようにした電池の絶縁テープを提供することである。
【０００７】
【課題を解決するための手段】
本発明は、電池の外装部に、粘着性を有すると共に引き剥がし可能で且つ再貼着可能な絶縁性テープを保持し、電池が使用済みとなった際に、上記絶縁性テープを上記電池外装部から引き剥がし、電池の電極部に再貼着して外部との電気的接続を防止できるようにした、使用済み電池の事故防止用絶縁テープを備えた電池である。
【０００８】
本発明の好適な実施例において、上記絶縁性テープは、塩ビ（ＰＣＶ）などの樹脂製フィルムより形成されている。
【０００９】
本発明の別の実施例において、上記絶縁性テープは、上記樹脂製フィルムに、電池の型式が識別できる識別記号を設けるか若しくは識別性材料の層を設けた構成とすることができる。
【００１０】
本発明において上記識別性材料の層は、好ましくは磁性材料、電界電子放射材料、誘電体から選択される。
【００１１】
本発明において、上記絶縁性テープの片側には、引き剥がし可能であり且つ再粘着可能な接着剤が所望の位置に付与されている。
【００１２】
【作用】
本発明においては、使用済み電池を廃棄する際、充電やショートなどによる事故を未然に防止することができるために、電池の廃棄時の危険性を低減できる。
【００１３】
また、絶縁性テープを識別性を有する構成とすることで、電池の種類に応じて分別が可能となる。
【００１４】
【実施例】
本発明の好適な実施例として、筒型アルカリ乾電池と角形アルカリ電池にに適用した例について以下説明する。
図１において、（ａ）は筒型のアルカリ電池の全体斜視図を示している。図示のように、筒型アルカリ乾電池の外装表面１０ａのほぼ中央に、透明の塩化ビニル等の樹脂製フィルムより形成した電気絶縁テープ１１が巻装されている。このテープ１１の長さは、後で述べるように、正極側端子や負極側端子、或いはその両方を充分に覆うことができる程度に充分な長さとする。
この絶縁テープ１１の片面には、少なくとも一度の引き離しが可能であると共に、再度貼着が可能な接着剤が付与されている。この種接着剤としては、アクリル系や酢酸ビニル系などが好適なものとして採用できる。
【００１５】
上記絶縁テープ１１は、透明な塩ビ（ＰＶＣ）のフィルムのみから成る構成とし、絶縁のみの目的として採用することができるが、上記の塩ビフィルムに所望の識別材料を塗布し、公知の検知装置（図示せず）によって上記識別材料の物性を検知することで当該電池のタイプを特定し、分別できるようにすることも可能である。
【００１６】
図１（ｂ）は絶縁テープ１１を正極端子側に貼着させた例を示している。即ち、上記絶縁テープ１１を図１ａに示す電池外装表面から引き剥がし、正極側の端子１２を被せるように対向する外装端部を結ぶように貼り付けて、正極端子の外部に対する露出をなくしている。
【００１７】
図１（ｃ）は図１（ａ）に示す絶縁テープ１１を電池の負極側１３に使用した例であり、図示のように、負極側端部を巻回すように付着させた構成を示している。この実施例では、帯状の絶縁テープ１１を負極側の端部に巻回した後、負極側端子面側に折り畳み込んで貼着させるので、負極側１３の中心部分は絶縁テープ同士が折り重ねられるために図示のように皺や襞、或いは多少の凹凸ができるが、他部材との電気的接続は極力防止できるようになっている。尚、図示例では負極端子１３の中央部が露出されているが、要すれば、絶縁テープ１１の幅を大きくして上記の露出部分を極力少なくすることも可能である。
【００１８】
このように、筒型アルカリ電池の外装面に貼着させた絶縁テープを、使用済みとなった電池において引き剥がし、上記のように正極側と負極側の一方又は双方に貼着させて、他のエレメントとの結合を防止できるようになっている。尚、正極側と負極側の双方に貼り付ける場合には、上記絶縁テープの長さを充分に長く形成して二重巻とするか、或いは、外装面１０ａに、平行且つ二段階に（図示省略）絶縁テープ１１を形成しておいて、それぞれを引き剥がして正極側と負極側の双方に使用することも可能である。
【００１９】
図２は角形電池の例を示している。図２（ａ）では角形電池の外装部に予め絶縁テープ１１を巻装しておき、使用済み電池として廃棄する場合には、図２（ｂ）に示すように端子部分を覆うようにして付着させる。かくして、角形電池の両端子は外部エレメントとの電気的接触が防止されることになり、従って、意図しない充電やショートを確実に防止できるため、安全な廃棄が達成できる。
【００２０】
尚、この角形電池の場合も、図１に示した円筒型の電池同様に、上記絶縁テープ１１は、絶縁だけの目的のために透明な塩ビ（ＰＣＶ）フィルムのみから成る構成とすることの他、上記塩ビフィルムに所望の識別材料を塗布し、公知の検知装置（図示せず）によって上記識別材料の物性を検知することで当該電池のタイプを特定し、電池の種類に応じて弁別できるようにすることも可能である。
【００２１】
【発明の効果】
以上のように、本発明によれば、電池の外装部に、粘着性を有すると共に引き剥がし可能で且つ再貼着可能な絶縁性テープを保持し、電池が使用済みとなった際に、上記絶縁性テープを上記電池外装部から引き剥がし、電池の電極部に再貼着して外部との電気的接続を防止できるようにした電池である。
また、上記絶縁性テープは、樹脂製フィルムより成る構成とすることのほか、上記樹脂製フィルムに識別性材料の層を設けてなる構成とすることもできる。上記識別性材料としては、磁性材料、電界電子放射材料、誘電体などの中から選択できる。
この構成により、本発明においては、使用済み電池を廃棄する際、充電やショートなどによる事故を未然に防止することができ、廃棄時の危険性を低減できる。また、絶縁性テープを識別性を有する構成とすることで、電池種類に応じて分別が可能となる。
【００２２】
【図面の簡単な説明】
【図１】本発明による絶縁テープを円筒部に設けた円筒型電池の斜視図であり、（ａ）は絶縁テープを円筒部から引き剥がして使用済み電池の正極側に貼り付けた状態を示す図、（ｂ）は同様に引き剥がした絶縁テープを電池の負極側に貼り付けた状態を示す図である。
【図２】本発明による絶縁テープを角形電池に採用した状態を示す図であり、（ａ）は角形電池の筒部に貼り付けた状態を示す図、（ｂ）は角形電池の端子部を覆うように貼り付けた状態を示す図である。
【符号の説明】
１０  電池
１１  絶縁テープ
１２  正極端子
１３  負極端子
【図１】
0004826035.tif 000002
【図２】
0004826035.tif 000003